(57)【特許請求の範囲】
【請求項１】
既設の平板状薄型硬質瓦Ａとその下葺材Ｃとの間に、瓦Ａの上端から、先端を薄く、基端方向へ次第に厚くした広長状の先端から基端方向へ向けた釘誘導割れ目１ａを設けた下板１と、下板１との間に平板状薄型硬質瓦Ａと、その下葺材Ｃとの間に、瓦Ａの上端から『先端を薄く、基端方向へ向けて次第に厚くした広長状の先端から基端方向へ向けた釘誘導割れ目１ａを設けた下板１と、下板１との間に平板状薄型硬質瓦Ａを差し込める隙間３をもたせて、下板１を下板よりやや大で外形を似せた上板２を設け、下板１と上板２の基部に柄５を設けてたなる、季節の平板状薄型硬質瓦の解体具Ｅの下板１を下板１に設けた釘誘導割れ目１ａの奥まで、瓦Ａを取り付けた釘Ｄを誘い込むまで差し込むことで、瓦解体具Ｅの下板１と上板２で瓦Ａを挟み込み、瓦Ａを浮かせると共に、釘Ｄも浮かせ、瓦解体具Ｅを抜き、浮いた瓦Ａのみを屋根下地側に戻すことで釘Ｄのみが浮いたままとなり、釘抜きなどで容易に釘Ｄを抜き取ることを特徴とした、既設の平板状薄型硬質瓦の解体工法。
【請求項２】
先端を薄く、基端方向へ次第に厚くした広長状の先端から基端方向へ向けた釘誘導割れ目１ａを設けた下板１と、下板１との間に平板状薄型硬質瓦Ａを挟みこめる隙間３を持たせて、下板１と外形を似せた上板２を設け、下板１と上板２の基部に柄５を設けてなる、既設の平板状薄型硬質瓦の解体具。
【発明の詳細な説明】
【０００１】
【発明の属する技術分野】
本発明は、既設の平板状薄型硬質瓦（以下、説明上瓦Ａと称す）を屋根下地から解体する工法と、その使用に便利な、瓦解体具に関する。
本発明に関する瓦Ａとは、例えば、高圧成型された石綿セメント系の硬質瓦などで、市販品としてはコロニアル瓦や同質系に属する瓦等がある。
【０００２】
【従来の技術】
従来の平板状薄型硬質瓦は、厚さが４，５ミリから、６ミリ程度の硬質のもので、野馳板の上に下葺材、即ち、ルーフィング材等を敷き、その上に、瓦を軒先から棟方向へ順に葺き、瓦を専用の釘で止めるものであった。
瓦が薄く平板状なので、取り付け用の釘は、頭が薄く広めのものが多い。
瓦には、釘穴が設けてあるのが普通であった。
本発明は、上記の、既設の瓦を葺きかえる際、即ち、瓦を下地から剥がす際に、瓦が平板状で薄型で硬質であり、且つ、下地に密着しているために、普通の釘抜きでは等では釘の頭がつかめず、また、バールなどでの先端を無理に差し込もうとしても容易に差し込めない。無理に差し込もうとすると瓦が破壊してしまい、再使用ができない。
従って、上記に述べた瓦は「再使用は不可」と瓦の製造メーカーが建設業界に説明表示していた。
現に、本出願自身も瓦製造メーカーから「再使用は不可」と明示されたのであった。即ち、剥がすのではなく、壊して廃棄していた。
【０００３】
【発明が解決しようとする課題】
従来の平板状薄型硬質瓦は上述の欠点、即ち、解体再使用が不能で、葺き替えの際は壊してしまいも、資源の無駄、労働作業の無駄、廃棄材による自然破壊や環境汚染等、また、施主や施工業者、一般社会にまで損失を負担させられていた。
従来は上記の欠点を補う手段がなく、その改良方法などが求められていた。
本発明は、以上の視点からの発明である。
れていた。
本発明は、上記の従来の欠点を改善するものである。
【０００４】
【課題を解決するための手段】
本発明の工法は、既設の瓦Ａの上端を、瓦解体具Ｅの下板１と上板２で挟みこむようにして、下板１を瓦Ａの裏側に深く差し込む。
この場合、下板１の釘誘導割れ目１ａで釘Ｄの胴部を挟み込み、釘誘導割れ目１ａの最深部に釘Ｄが当たるまで差し込む。
下板１の釘誘導割れ目１ａの最深部辺りの厚みは瓦Ａと同じ程度にしておく。
そのために、下１の厚みだけ瓦Ａが浮き上がり、かわら解体具Ｅを抜けば、浮いた瓦Ａと共に釘Ｄも浮き、瓦Ａを下へ戻せば釘Ｄの頭だけが浮いた状態になり、バール等の釘抜きで釘Ｄが容易に抜けるので、かわらＡを破壊することなく野地板Ｓから容易に解体できる。
本発明に関する瓦解体具Ｅは図４、図５に示すように、やや広めで長めの下板１と上板２との間に隙間３を設けて、それぞれの一方を基端４を間にして取り付ける。
基端４の上方に延長して柄５とする。
下板１は、その先端から中央に向けて割れ目を設け、これを釘誘導割れ目１ａとする
釘誘導ほれ目１ａは、先端部をやや広く開き、最新婦を釘Ｄの胴部が鋏める寸法にする。
下板１は、先端を薄く、釘誘導割れ目１ａの最深部よりやや基端４側へ寄ったところまで次第に厚く設け、その厚みは釘誘導割れ目１ａの最深部まで瓦Ａの厚みと同じ程度にする。
下板１の上面は、瓦Ａの下面と並行密接可能に平らにする。
上板２は、下面を平面に設け、上面において先端を薄く、基端４側に向かい暑くし、下板１の釘誘導割れ目１ａの奥近くまで瓦Ａの厚みと同じ程度にする。
上板２は、下面より先端部も側端部も広げるとよい、
柄５は、どこから延長しても任意であるが、基端４の一端から延長するのが最良である。
基端４と上板２との間、または、基端４と下板１との間に、隙間３の広さを調節するために当板８を設けると便利である。
実際の瓦剥がし作業は、下板１の釘誘導割れ目１ａを、下板１に２ヵ所設けると作業能率を高める便宜があるが、基本的構成において同じであり、本稿では書略する。
【０００６】
【発明の実施の形態】
既設の平板状薄型硬質瓦Ａの上端下面に瓦解体具Ｅの下板１を差し込む場合、その先端を薄くしてあるので作業が容易で確実にできる。
瓦解体具Ｅを瓦の下面に差し込むと、下板１の厚みだけ瓦かん浮き上がるので、瓦が反れて折れる恐れがあるが、瓦は、これに密接平行する下板１の上面と上板２下面とによって押圧されているので瓦が保護されており反れるのを防止して破損しない。
この場合、上板２の先端や周囲が下板よりも外側に出ていることによって更に効果的である。
瓦Ｅの釘穴Ａａは、第６図に示すように即端部が瓦Ａの上端に近い位置に、中央部が瓦Ａの上端から中央に大きく入った位置に設けてあるので、中央部の釘穴Ａａは図４や図５に示したような、釘誘導割れ目１ａを一本に設けた瓦解体具Ｅを使用し、瓦Ａの側端部近くの位置の釘Ｄは、図６の例に示すような、釘誘導割れ目１ａを２本設けた瓦解体具Ａを使用すると作業性がよい。
釘誘導割れ目１ａを２本設けたものも、基本的な構成は変わら図、本発明の要旨を変えるものではない。
瓦解体具Ｅは、構成要旨を変えない限り、形状や寸法も任意である。
下板１や上板２の先端を薄くし、基板４側に向けて徐々に厚くすることを、板全体を同じ厚さに薄くして、先端から基板４方向に向けて複数条の溝を先端から徐々に深めることで、板を厚くしたと同じ機能をもたせることも本発明の要旨を変えるものではない。
釘誘導割れ目１ａがよく見えるように、上板を透明の材料で作ることも、作業性を向上させうることである。
瓦解体具の材料は任意であるが、金属や広義の合成樹種がよく、下板１や上板２を木質でつくっても機能上での大きなマイナスはない。
【０００７】
【発明の効果】
既設の平板状薄型硬質瓦は、従来は『解体が不可能」とされて、葺き替えの場合は「解体ではなく壊して、新しい瓦で葺き替えざるを得なかった」のであったが、本発明により、既設の平板状薄型硬質瓦が容易に解体することができるので、再使用が可能となり、無駄な損失をなくし、瓦を壊すことでの自然の汚毒や公害を防止できる。
また、本発明の瓦解体具は構造が簡単で製造も安価にでき、施工も安価となり、公共に益すること大なるものである。
【図面の簡単な説明】
【図１】  本発明工法の一部切り欠き一部省略側面縦断面図。
【図２】  既設の瓦Ａのの解体前の、本発明工法の一部切り欠き側面縦断面図。
【図３】  瓦解体具Ｅをはずした状態の瓦を示す一部切り欠き側面縦断面図。
【図４】  瓦解体具の一部省略上面斜視図。
【図５】  瓦解体具を分解した状態の一部省略上面斜視図。
【図６】  平板状薄型硬質瓦の並べ方を示す平面図。
【符号の説明】
Ａ：平板状薄型硬質瓦。
Ｂ：野地材。
Ｃ  下葺材。
Ｄ：釘。Ｄａ釘の胴部。Ｄｃ：の頭部。
Ｅ：解体具。
１：下板。１ａ釘誘導割れ目。
２：上板。
３：下板と上板の隙間。
４：基板。
５：柄。
６：当板。
７：締め付け具（ボルト・ナット類。）
８：釘抜具。
【図１】
0003997263.tif 000002
【図２】
0003997263.tif 000003
【図３】
0003997263.tif 000004
【図４】
0003997263.tif 000005
【図５】
0003997263.tif 000006
【図６】
0003997263.tif 000007